(57)【要約】      （修正有）【課題】クロッチ本体をウエストパネルの外面に安定的に固定することができるとともに、クロッチ本体の吸液性構造体の吸収性能を低下させることなく、比較的に多量の排泄物を吸収、保持可能な使い捨て着用物品の提供。【解決手段】クロッチ本体１２の前後端部３５，３６のうちの少なくともいずれか一方が、クロッチ本体１２の横方向Ｘにおける中央部に非接合領域６８，６９を有する接合域６０，６１を介して弾性ウエストパネル１１の非肌対向面に取り付けられており、着用物品１０の着用状態において、クロッチ本体１２の一方端部３６が取り付けられたウエスト域１４の中央部に縦方向Ｙへ延びる分離部位１９が形成されている。【選択図】図２
2011212289.tif 000002
【特許請求の範囲】
【請求項１】
縦方向及びそれに直交する横方向と、肌対向面及び非肌対向面と、前ウエスト域と、後ウエスト域と、前記前後ウエスト域間に位置するクロッチ域と、前記前後ウエスト域を画成する弾性ウエストパネルと、前記弾性ウエストパネルに取り付けられた、前後ウエスト域の一部および前記クロッチ域を画成するクロッチ本体とを含む使い捨て着用物品において、
前記クロッチ本体が、前記前ウエスト域に位置する前端部と、前記後ウエスト域に位置する後端部と、前記クロッチ域から前記前後ウエスト域へ延びる吸液性構造体とを有し、
前記前後端部のうちの少なくともいずれか一方が、前記クロッチ本体の前記横方向における中央部に非接合領域を有する接合域を介して前記弾性ウエストパネルの前記非肌対向面に取り付けられており、
前記一方の端部が取り付けられた前記弾性ウエストパネルにおける、前記非接合領域と対向する位置に前記縦方向へ延びる分離部位が形成されていることを特徴とする前記着用物品。
【請求項２】
前記クロッチ本体が前記クロッチ域から前記前後ウエスト域へ延びる一対のサイド弾性部を有し、前記着用物品の着用状態において、前記弾性ウエストパネルがウエスト回り方向に伸長されることによって、前記一対のサイド弾性部どうしの離間寸法が大きくなる請求項１記載の着用物品。
【請求項３】
前記クロッチ本体の前記一方の端部が取り付けられた前記弾性ウエストパネルにおける、前記非接合領域と対向する位置に、前記横方向に並ぶ複数の前記分離部位が形成されている請求項１又は２記載の着用物品。
【請求項４】
前記分離部位が、前記縦方向へ延びるスリットである請求項１〜３のいずれかに記載の着用物品。
【請求項５】
前記分離部位が、前記縦方向へ延びるミシン目である請求項１〜３のいずれかに記載の着用物品。
【請求項６】
前記分離部位が切欠である請求項１〜３のいずれかに記載の着用物品。
【請求項７】
前記分離部位が所要の形状を有するくり抜きである請求項１〜３のいずれかに記載の着用物品。
【発明の詳細な説明】
【技術分野】
【０００１】
本発明は、使い捨て着用物品に関し、より詳しくは、吸液性構造体が環状のウエストパネルの外面に取り付けられている使い捨ておむつ、使い捨てのトイレット・トレーニングパンツ、使い捨て失禁パンツ、使い捨ての生理用パンツ等の使い捨て着用物品に関する。
【背景技術】
【０００２】
従来、吸液性構造体が弾性ウエストパネルの外面に取り付けられてなる着用物品は公知である。例えば、特許文献１には、弾性ウエストパネルの外面に、吸液性を有するクロッチ本体の前後端部が、ウエスト回り方向に間欠的に配置された、着脱可能な係止部を介して取り付けられている使い捨ての着用物品が開示されている。
【先行技術文献】
【特許文献】
【０００３】
【特許文献１】特開２００６−５１２４０号公報
【発明の概要】
【発明が解決しようとする課題】
【０００４】
特許文献１に開示の着用物品によれば、ウエストパネルに対してクロッチ本体が着脱可能に取り付けられているので、使用後に、排泄物で汚れたクロッチ本体のみを廃棄して新しいものに交換することができる。したがって、ウエストパネルについては交換不要であるので、経済的に優れており、また、着用者の体型および股間部の形状の影響を受けることなく安定的な装着ができる。
【０００５】
しかし、ウエスト回りに間欠的に配置された係止部のみでクロッチ本体をウエストパネルの外面に取り付けるので、クロッチ本体が多量の排泄物を受容した場合には、クロッチ本体の自重及び移動によって、着用中に係止部の係止が解かれるおそれがある。かかる事態を避けるために、クロッチ本体のウエストパネルに対する係止部の面積を大きくすることも考えられるが、その場合には、クロッチ本体における吸収性コアを含んだ部位がウエストパネルの外面側に位置することになるので、クロッチ本体の吸液性能が低下するおそれがある。また、体液がウエストパネル全体の外側に位置する吸収性コアにも拡散し、体液が外部に漏れ出るおそれがある。
【０００６】
そこで、本発明は、クロッチ本体をウエストパネルの外面に安定的に固定することができるとともに、クロッチ本体の吸液性構造体の吸収性能を低下させることなく、比較的に多量の排泄物を吸収、保持可能な使い捨て着用物品の提供を課題とする。
【課題を解決するための手段】
【０００７】
前記課題を解決するために、本発明が対象とするのは、縦方向及びそれに直交する横方向と、肌対向面及び非肌対向面と、前ウエスト域と、後ウエスト域と、前記前後ウエスト域間に位置するクロッチ域と、前記前後ウエスト域を画成する弾性ウエストパネルと、前記弾性ウエストパネルに取り付けられた、前後ウエスト域の一部および前記クロッチ域を画成するクロッチ本体とを含む使い捨て着用物品である。
【０００８】
本発明の特徴とするところは、前記クロッチ本体が、前記前ウエスト域に位置する前端部と、前記後ウエスト域に位置する後端部と、前記クロッチ域から前記前後ウエスト域へ延びる吸液性構造体とを有し、前記前後端部のうちの少なくともいずれか一方が、前記クロッチ本体の前記横方向における中央部に非接合領域を有する接合域を介して前記弾性ウエストパネルの前記非肌対向面に取り付けられており、前記一方の端部が取り付けられた前記弾性ウエストパネルにおける、前記非接合領域と対向する位置に前記縦方向へ延びる分離部位が形成されていることにある。
【０００９】
本発明の他の実施態様の一つとして、前記クロッチ本体が前記クロッチ域から前記前後ウエスト域へ延びる一対のサイド弾性部を有し、前記着用物品の着用状態において、前記弾性ウエストパネルがウエスト回り方向に伸長されることによって、前記一対のサイド弾性部どうしの離間寸法が大きくなる。
【００１０】
本発明の他の実施態様の一つとして、前記クロッチ本体の前記一方の端部が取り付けられた前記弾性ウエストパネルにおける、前記非接合領域と対向する位置に、前記横方向に並ぶ複数の前記分離部位が形成されている。
【００１１】
本発明の他の実施態様に一つとして、前記分離部位が、前記縦方向へ延びるスリットである。
【００１２】
本発明の他の実施態様の一つとして、前記分離部位が、前記縦方向へ延びるミシン目である
【００１３】
本発明の他の実施態様の一つとして、前記分離部位が切欠である。
【００１４】
本発明の他の実施態様の一つとして、前記分離部位が所要の形状を有するくり抜きである。
【発明の効果】
【００１５】
本発明に係る着用物品によれば、クロッチ本体の前後端部のうちの少なくとも一方の端部が取り付けられた弾性ウエストパネルにおける、非接合領域と対向する位置におむつの縦方向へ延びる分離部位が形成されていることから、おむつの着用状態において、分離部位がおむつの横方向へ広がり、その下方に位置する排泄物保持スペースへの開口が形成され、該ウエスト域に流れ込んだ排泄物を該スペースに速やかに移動させることができる。また、該中央部においてクロッチ本体が接合されていないので、所要の吸液性構造体の吸収面積を確保することができる。
【図面の簡単な説明】
【００１６】
【図１】本発明の第１実施形態に係る使い捨て着用物品の一例として示す、使い捨ておむつの斜視図。
【図２】おむつのサイドシーム部を剥離して前後方向に伸展した状態をその内面から見た一部破断展開平面図。
【図３】図１のＩＩＩ−ＩＩＩ線断面図。
【図４】前後接合域の態様を示すおむつの展開平面図。
【図５】（ａ）おむつを前後方向へ伸展した状態の前ウエスト域及びクロッチ域の一部を示す平面図。（ｂ）おむつの着用状態における前ウエスト域及びクロッチ域の一部を示す平面図。
【図６】（ａ）本発明の第２実施形態におけるおむつの図５（ａ）と同様の平面図。（ｂ）本発明の第２実施形態におけるおむつの図５（ｂ）と同様の平面図。
【図７】（ａ）本発明の第３実施形態におけるおむつの図５（ａ）と同様の平面図。（ｂ）本発明の第３実施形態におけるおむつの図５（ｂ）と同様の平面図。
【図８】（ａ）本発明の第４実施形態におけるおむつの図５（ａ）と同様の平面図。（ｂ）本発明の第４実施形態におけるおむつの図５（ｂ）と同様の平面図。
【図９】図８（ｂ）のＩＸ−ＩＸ線断面図。
【発明を実施するための形態】
【００１７】
＜第１実施形態＞
図１は、本発明の第１実施形態に係る使い捨て着用物品の一例として示す、使い捨ておむつ１０の斜視図、図２は、おむつ１０のサイドシーム部２０を剥離して前後方向に伸展した状態をその内面から見た一部破断展開平面図、図３は、図１のＩＩＩ−ＩＩＩ線断面図、図４は、前後接合域の態様を示すおむつの展開平面図である。図４では、説明の便宜上、弾性ウエストパネル及びクロッチ本体を仮想線で示している。
【００１８】
図１及び２に示すとおり、使い捨ておむつ１０は、縦方向Ｙ及びそれに直交する横方向Ｘと、横方向Ｘの幅寸法を二等分する仮想中心線Ｐ−Ｐと、肌対向面及びそれに対向する非肌対向面と、環状の弾性ウエストパネル１１と、弾性ウエストパネル１１の非肌対向面に取り付けられたクロッチ本体１２と、前ウエスト域１３と、後ウエスト域１４と、前後ウエスト域１３，１４間を縦方向Ｙに延びるクロッチ域１５とを含む。おむつ１０は、仮想中心線Ｐ−Ｐに関して対称に形成されており、弾性ウエストパネル１１は、前ウエスト域１３を形成する前ウエストパネル１６と、後ウエスト域１４を形成する後ウエストパネル１７とから構成されている。
【００１９】
前ウエストパネル１６は、クロッチ本体１２と交差し、横方向Ｘに延びる内端縁１６ａと、縦方向Ｙにおいて内端縁１６ａと離間対向して横方向Ｘに延びる外端縁１６ｂと、内外端縁１６ａ，１６ｂ間において縦方向Ｙに延びる両側縁１６ｃ，１６ｄとによって横長矩形状に画成されている。前ウエストパネル１６の仮想中心線Ｐ−Ｐ上には、縦方向Ｙに延びるスリットからなる分離部位１８が形成されている。
【００２０】
後ウエストパネル１７は、前ウエストパネル１６とほぼ同形同大であって、クロッチ本体１２と交差し、横方向Ｘに延びる内端縁１７ａと、縦方向Ｙにおいて内端縁１７ａと離間対向して横方向Ｘへ延びる外端縁１７ｂと、内外端縁１７ａ，１７ｂ間において縦方向Ｙに延びる両側縁１７ｃ，１７ｄとによって、横長矩形状に画成されている。後ウエストパネル１７の仮想中心線Ｐ−Ｐ上には、縦方向Ｙへ延びるスリットからなる分離部位１９が形成されている。なお、本実施形態では、前後ウエストパネル１６，１７のいずれにおいても分離部位１８，１９が形成されているが、分離部位１８，１９及びそれによる効果を奏するための構成は、前後ウエスト域１３，１４のうちのいずれか一方のウエスト域のみが有するものであってもよい。また、後記するように、分離部位１８，１９が形成されていることによって、吸液性構造体４０の所要の吸収面積を確保することができるので、後ウエストパネル１７に分離部位１９が形成されている場合には、着用者が仰向けや座位の状態において排泄しても、体液が後ウエスト域１４から漏れ出るおそれはない。さらに、前ウエストパネル１６に分離部位１８が形成されている場合には、着用者が男性であれば、分離部位１８にペニスを挿入し、前ウエストパネル１６の外面に位置する吸液性構造体４０に直接尿を排泄することができ、前ウエストパネル１６を介して尿が伝い漏れるのを防止することができる。
【００２１】
前ウエストパネル１６の両側縁１６ｃ，１６ｄと後ウエストパネル１７の両側縁１７ｃ，１７ｄとは、互いに重ね合わせられて、縦方向Ｙに間欠的に接合されるサイドシーム部２０によって連結され、ウエスト開口２１及び一対のレッグ開口２２とが画成されている（図１参照）。サイドシーム部２０は、公知の接合手段、例えば、熱エンボス加工、ソニック加工などの各種熱溶着手段によってなされる。
【００２２】
前ウエストパネル１６は、肌対向面に位置する第１内面シート２５と、非肌対向面に位置する第１外面シート２６とを有する。第１内面シート２５と第１外面シート２６とは、質量が１５〜３０ｇ／ｍ２の不透液性のＳＭＳ（スパンボンド・メルトブローン・スパンボンド）繊維不織布またはスパンボンド繊維不織布、若しくは、プラスチックシートやそれらのラミネートシートから形成されている。両シート２５，２６は、少なくともいずれか一方のシートの内面に塗布されたホットメルト接着剤（図示せず）を介して接合されている。また、第１内面シート２５と第１外面シート２６との間には、横方向Ｘに延びる複数条ストランド状又はストリング状からなる前ウエスト弾性要素２７が、ホットメルト接着剤（図示せず）を介して横方向Ｘにおいて収縮可能に配設されており、前ウエストパネル１６は、少なくとも横方向Ｘにおいて弾性化されている。なお、第１内面シート２５と第１外面シート２６とは、前ウエスト弾性要素２７を構成する各弾性要素に塗布したホットメルト接着剤を介してのみ互いに接合されていてもよい。
【００２３】
後ウエストパネル１７は、肌対向面に位置する第２内面シート２９と、非肌対向面に位置する第２外面シート３０とを有する。第２内面シート２９と第２外面シート３０とは、質量が１０〜３０ｇ／ｍ２の不透液性のＳＭＳ繊維不織布またはスパンボンド繊維不織布、若しくは、プラスチックシートやそれらのラミネートシートから形成されている。両シート２９，３０は、少なくともいずれか一方のシートの内面に塗布されたホットメルト接着剤（図示せず）を介して接合されている。また、第２内面シート２９と第２外面シート３０との間には、横方向Ｘに延びる複数条ストランド状又はストリング状からなる後ウエスト弾性要素３１が、ホットメルト接着剤（図示せず）を介して横方向Ｘにおいて収縮可能に配設されており、後ウエストパネル１７は、少なくとも横方向Ｘにおいて弾性化されている。なお、第２内面シート２９と第２外面シート３０とは、後ウエスト弾性要素３１を構成する各弾性要素に塗布したホットメルト接着剤を介してのみ互いに接合されていてもよい。
【００２４】
クロッチ本体１２は、略矩形状であって、前ウエストパネル１６の非肌対向面に取り付けられた前端部３５と、後ウエストパネル１７の非肌対向面に取り付けられた後端部３６と、前後端部３５，３６間において縦方向Ｙへ延びる中間部３７と、不透液性の内外面クロッチシート３８，３９と、内面クロッチシート３８の肌対向面に配置された吸液性構造体４０とを有する。内外面クロッチシート３８，３９は、両シート３８，３９のうちのいずれか一方のシートの内面に塗布されたホットメルト接着剤（図示せず）を介して互いに接合されており、それらの両側部は、内方へ折り曲げられ、吸液性構造体４０の内面において縦方向Ｙへ延びる一対のサイド弾性部４１が形成されている。吸液性構造体４０は、高吸収性ポリマー粒子とフラップパルプとの混合または高吸収性ポリマー粒子のみから形成された、前記各シートに比して剛性が高い半剛性の吸収性コアを透液性シートで被包することによって形成されている。
【００２５】
各サイド弾性部４１には、縦方向Ｙへ延びる複数条のストランド状又はストリング状からなる第１レッグ弾性要素５０と第２レッグ弾性要素５１とが配設されており、少なくとも縦方向Ｙにおいて弾性化している。サイド弾性部４１はその内側縁に沿って縦方向へ延びる３条の第１レッグ弾性要素５０とクロッチ域の中央部において内方へ凹曲し、前後ウエスト域１３，１４に向かって直状に延びる５本の第２レッグ弾性要素５１とから形成されている。第１及び第２レッグ弾性要素５０，５１は、内外面クロッチシート３８，３９の少なくともいずれか一方の内面に塗布されたホットメルト接着剤（図示せず）を介して両シート３８，３９間に縦方向Ｙに伸長された状態で固定されている。
【００２６】
第１及び第２レッグ弾性要素５０，５１がサイド弾性部４１に配設されていることによって、サイド弾性部４１は、おむつ１０の着用状態において、吸液性構造体４０から離間して着用者の鼠蹊部に当接し、クロッチ本体１２は弾性ウエストパネル１１に吊持された袋状の形態を呈する（図１，３参照）。かかる着用状態において、排泄物が吸液性構造体４０上に排泄された場合には、自重によって吸液性構造体４０が着用者の臀部から離間し、着用者と吸液性構造体４０との間に排泄物を保持するための、通常の使い捨ておむつに比べて大容量の排泄物収容スペースＳが形成される。おむつ１０は、この種の他の物品に比して大容量の排泄物収容スペースＳを有するので、比較的に多量の排泄物を保持することができるとともに、着用者の臀部から離間した状態で吸液性構造体４０が吊持されるので、排泄物によって着用者の臀部が汚れるのを抑えることができる。
【００２７】
図３及び４に示すとおり、クロッチ本体１２は、前端部３５及び後端部３６の肌対向面にホットメルト接着剤を塗布してなる前接合域６０と後接合域６１とにおいて前後ウエストパネル１６，１７の外面に取り付けられている。このように、クロッチ本体１２の前後端部３５，３６を前後ウエストパネル１６，１７の非肌対向面に取り付けることによって、排泄物収容スペースＳをより大きく形成することができる。なお、排泄物収容スペースＳの所要の収容量を確保できる限りにおいて、前後端部３５，３６のうちのいずれか一方のみが前後ウエストパネル１６，１７の非肌対向面に取り付けられていればよい。
【００２８】
前後接合域６０，６１は、クロッチ域１５に向かって開口した凹状の形状を有し、それぞれ、サイド弾性部４１にホットメルト接着剤を塗布してなる両側域６４，６５と、両側域６４，６５間において、横方向Ｘへ延びる中央域６６，６７とを有する。中央域６６，６７は、吸液性構造体４０の存在域よりも縦方向Ｙの外方に位置しており、両側域６４，６５と中央域６６，６７との間には、ホットメルト接着剤が塗布されていない非接合域６８，６９がそれぞれ画成されている。なお、前後接合域６０，６１は、全体として曲状を有するものであってもよいし、両側域６４，６５及び／又は中央域６６，６７が段差状、三角状などの各種形状を有していてもよい。
【００２９】
図５（ａ）は、おむつ１０を前後方向に伸展した状態における後ウエスト域１４及びクロッチ域１５の一部を示す平面図、図５（ｂ）は、おむつ１０の着用状態における後ウエスト域１４及びクロッチ域１５の一部を示す平面図である。また、以降は後ウエストパネル１７の構成態様についてのみ説明するものであるが、前ウエストパネル１６が後ウエストパネル１７と同様の構成態様を有する限りにおいて同一の説明となるので、その説明は省略する。
【００３０】
図５（ａ）に示すとおり、後ウエストパネル１７は、横方向Ｘへ延びる複数条の後ウエスト弾性要素３１が収縮可能に配設されているので、横方向Ｘに弾性化されている。図５（ｂ）に示すとおり、おむつ１０の着用状態において、弾性ウエストパネル１１がウエスト回り方向に伸長されたとき、すなわち、後ウエストパネル１７が横方向Ｘに伸長された状態では、後ウエストパネル１７の両側縁はサイドシール部２０によって固定されているので、サイドシール部２０と分離部位１９との間に位置する後ウエスト弾性要素３１が伸長されることによって、分離部位１９が横方向Ｘへ広がって略三角形状の開口が形成される。なお、図示してないが、分離部位１９の両側において横方向Ｘに延びる複数条の後ウエスト弾性要素３１は、分離部位１９近傍において固定せず、該非固定部位を切断してカットバックさせることによって配設してもよい。
【００３１】
分離部位１９が、吸液性構造体４０の存在域に形成されているので、後ウエスト域１４に流れ込んだ体液が分離部位１９による開口を介してその下方（外面）に位置する吸液性構造体４０に吸収される。これにより、後接合域６１を介してクロッチ本体１２の後端部３６を後ウエストパネル１７に安定的に固定することができるとともに、吸液性構造体４０の所要の吸収面積を確保することができ、吸液性能を向上させることができる。また、後ウエスト域１４に流れ込んだ排泄物がその自重によって分離部位１９の開口を介して排泄物収容スペースＳに移動するので、後ウエストパネル１７の肌対向面に付着した排泄物によって着用者の肌が汚れるのを抑制することができる。
【００３２】
さらに、おむつ１０の着用状態において、後ウエストパネル１７の後ウエスト弾性要素３１とクロッチ本体１２のサイド弾性部４１における第１及び第２レッグ弾性要素５０，５１とは、着用者の鼠蹊部を囲繞する仮想の弾性帯を形成しているが、分離部位１９が広がって開口が形成されることによって、各サイド弾性部４１は横方向Ｘの外方へ引っ張られる。各サイド弾性部４１がそれぞれ横方向Ｘの外方へ引っ張られることによって、各サイド弾性部４１間の離間寸法Ｒが大きくなり、排泄物収容スペースＳの間口をより大きく形成することができるとともに、サイド弾性部４１の臀部への食い込みを抑制することができる。
【００３３】
分離部位１９は、おむつ１０の着用前においてミシン目によって形成されていてもよい。その場合には、おむつ１０の製造時において、予めスリットが形成されている場合に比して後ウエストパネル１７を形成するシート材料の搬送が容易となる。
【００３４】
分離部位１９は、吸液性構造体４０の存在域を越えて縦方向Ｙ外側に延びている場合には、排泄物が吸液性構造体４０の吸収性コアに吸収されず、外部に漏れ出るおそれがあるので、クロッチ本体１２が後ウエストパネル１７に固定されていない非接合域６９における吸液性構造体４０の存在域にのみ形成されていればよい。具体的には、後ウエストパネル１７の側縁１７ｃ，１７ｄの長さ、すなわち、後ウエスト域１４の縦方向Ｙにおける長さ寸法ｌ１が１５０〜２００ｍｍの場合において、分離部位１９の縦方向Ｙにおける長さ寸法ｌ２は、１５〜１５０ｍｍであることが好ましい。吸液性構造体４０を後ウエストパネル１７に対してさらに縦方向Ｙの外方へ延在させることによって分離部位１９の長さ寸法ｌ２を大きくすることもできるが、例えば、後ウエスト域１４の縦方向Ｙにおける長さ寸法ｌ１が１７０ｍｍの場合において、分離部位１９の縦方向Ｙにおける長さ寸法ｌ２が１１５ｍｍ以上の場合には、後ウエストパネル１７全体の横方向Ｘに対する伸長力が低下し、着用者の身体に対するフィット性を損なうおそれがある。なお、かかる寸法は、おむつ１０全体の大きさによって適宜設計変更されうるものであって、それらの比率、すなわち、分離部位１９の縦方向Ｙにおける長さ寸法ｌ２／後ウエスト域１４の縦方向Ｙにおける長さ寸法ｌ１が、約０．１〜０．７であることが好ましい。
【００３５】
＜第２実施形態＞
図６（ａ）,（ｂ）は、それぞれ、本発明の第２実施形態におけるおむつ１０の図５（ａ）,（ｂ）と同様の平面図である。
【００３６】
本実施形態では、後ウエストパネル１７の分離部位１９が、直状のスリットではなく円弧状の切欠によって形成されており、切欠の開口端は、後ウエストパネル１７の内端縁１７ａに接がっている。円弧状の切欠が形成されている場合には、予め排泄物を吸液性構造体４０に吸収させるための開口が形成されているので、第１実施形態よりも後ウエスト弾性要素３１の伸長力を抑えることができ、おむつ１０を装着する際に後ウエストパネル１７の外端縁１７ｂ近傍を指で摘んで横方向Ｘへ伸長させ易く、装着作業が容易となる。なお、切欠は、円形の他に三角形状、四角形状などの各種公知の形状であってもよい。
【００３７】
＜第３実施形態＞
図７（ａ）,（ｂ）は、それぞれ本発明の第３実施形態におけるおむつ１０の図５（ａ），（ｂ）と同様の平面図である。
【００３８】
本実施形態では、後ウエストパネル１７の分離部位１９が、縦長のくり抜き（スロット）によって形成されている。分離部位１９が縦長のくり抜きであるので、おむつ１０が着用されて後ウエスト域１４がウエスト回り方向へ伸長された場合には、図７（ｂ）に示すとおり、縦長のくり抜きが円形状となり、かかるくり抜きを介して体液がその外側に位置する吸液性構造体４０に吸収される。なお、くり抜きは、縦方向Ｙに長い形状であれば、円形の他に三角形、四角形等の各種公知の形状であってもよい。
【００３９】
＜第４実施形態＞
図８（ａ），（ｂ）は、それぞれ、本発明の第４実施形態におけるおむつ１０の図５（ａ），（ｂ）と同様の平面図、図９は、図８（ｂ）のＩＸ−ＩＸ線断面図である。本実施形態のおむつ１０の基本的構成は、第１実施形態と同様であるので、以下、相違する点についてのみ説明する。
【００４０】
本実施形態では、後ウエストパネル１７の中央部に複数の分離部位１９が形成されている。このように、複数の分離部位１９が形成されている場合には、各分離部位１９間に位置する中央部位７２は横方向Ｘへ伸長されず、下方へ垂れ下がり、排泄物収容スペースＳの開口面積がより広くなるので、より多くの排泄物を速やかに排泄物収容スペースＳに移動させることができる。なお、本実施形態では、中央部位７２に後ウエスト弾性要素３１を配設していないが、配設してもよい。
【符号の説明】
【００４１】
１０    使い捨ておむつ
１１    弾性ウエストパネル
１２    クロッチ本体
１３    前ウエスト域
１４    後ウエスト域
１５    クロッチ域
１８，１９  分離部位
３５    クロッチ本体の前端部
３６    クロッチ本体の後端部
４０    吸液性構造体
４１    サイド弾性部
６０    前接合域
６１    後接合域
ｌ１    後ウエスト域の側縁の縦方向の長さ寸法
ｌ２    分離部位の縦方向の長さ寸法
Ｘ      横方向
Ｙ      縦方向
【図１】
2011212289.tif 000003
【図２】
2011212289.tif 000004
【図３】
2011212289.tif 000005
【図４】
2011212289.tif 000006
【図５】
2011212289.tif 000007
【図６】
2011212289.tif 000008
【図７】
2011212289.tif 000009
【図８】
2011212289.tif 000010
【図９】
2011212289.tif 000011